(57)【要約】【課題】  不停止階の解除操作者を遠隔的に認識し、真正な特定人だけを受け付けて不停止階を解除することにある。【解決手段】  個人識別機能をもった認識データを入力し、この入力された認識データを暗号化した後、送信する遠隔解除操作端末９と、外部から送信されてくる暗号化された認識データを受信し、暗号解析処理後に暗号解析された認識データから所定の真正な特定人であることを条件に不停止階の解除信号を送信する解除装置８と、この解除装置から送信されてくる不停止階の解除信号に基づき、当該不停止階を解除して停止階に設定する制御盤１とを設けたエレベータのかご不停止解除システムである。【選択図】図１
2006256850.tif 000002
【特許請求の範囲】
【請求項１】
エレベータの不停止階を解除するエレベータのかご不停止解除システムにおいて、
少なくともエレベータの不停止階のホールに設置され、外部から送信されてくる不停止階を表す複数桁数の階データ、不停止階を表す階データを伴う個人識別データの何れか１つの認識データを受信し、当該認識データから所定の真正な特定人であることを条件に不停止階の解除信号を送信する解除装置と、この解除装置から送信されてくる不停止階の解除信号に基づき、当該不停止階を解除して停止階に設定する制御盤とを備えたことを特徴とするエレベータのかご不停止解除システム。
【請求項２】
請求項１に記載のエレベータのかご不停止解除システムにおいて、
前記解除装置は、
認識判定データを設定する識別判定データ設定手段と、外部から送信されてくる暗号化された認識データを受信し、暗号解析処理を実行する暗号解析処理手段と、この暗号解析処理手段で暗号解析された認識データに基づき、識別判定データ設定手段に設定される認識判定データを参照し、当該認識データと等しい認識判定データが存在するとき、不停止階の解除信号を前記制御盤に送信する送信制御手段とを設けたことを特徴とするエレベータのかご不停止解除システム。
【請求項３】
請求項１に記載のエレベータのかご不停止解除システムにおいて、
前記解除装置は、
認識判定データ、特定人の居住階データ及び移動許容階データを設定する識別判定データ設定手段と、
前記解除装置に視覚認識可能に設けられた判定表示部と、
外部から送信されてくる暗号化された認識データを受信し、暗号解析処理を実行する暗号解析処理手段と、この暗号解析処理手段で暗号解析された認識データに基づき、識別判定データ設定手段に設定される認識判定データを参照し、当該認識データと等しい認識判定データが存在するとき、不停止階が前記識別判定データ設定手段に設定される当該等しい認識判定データに対応する特定人の居住階データまたは移動許容階データに一致する場合に真正な特定人であると判定する特定人認識判定手段と、この特定人認識判定手段による判定結果を前記判定表示部に表示する判定結果表示手段と、前記特定人認識判定手段によって真正な特定人と判定された場合、不停止階の解除信号を前記制御盤に送信する送信制御手段とを設けたことを特徴とするエレベータのかご不停止解除システム。
【請求項４】
請求項１ないし請求項３の何れか一項に記載のエレベータのかご不停止解除システムにおいて、
前記暗号化された認識データを前記解除装置に送信する携帯型の遠隔解除装置端末を設け、
この遠隔解除装置端末は、認識データを入力する不停止解除用データ入力手段と、前記遠隔解除装置端末に視覚認識可能に設けられた判定表示部と、個別認識データを設定する個別認識データ設定手段と、前記不停止解除用データ入力手段から入力された認識データに基づき、前記個別認識データ設定手段に設定される個別認識データを参照し、端末操作者が所定の真正な特定人であるか否かを判定する特定人認識判定手段と、この特定人認識判定手段の判定結果を前記判定表示部に表示する判定結果表示手段と、前記特定人認識判定手段によって所定の真正な特定人であると判定された場合、前記認識データを暗号化し、前記解除装置に送信する暗号作成処理手段とを有することを特徴とするエレベータのかご不停止解除システム。
【発明の詳細な説明】
【技術分野】
【０００１】
本発明は、乗りかごの不停止階（通過階）を解除して停止階に設定制御するエレベータのかご不停止解除システムに関する。
【背景技術】
【０００２】
従来、オフィスビルなどのエレベータシステムでは、特定階のかご利用頻度が少ない時間帯とか、或いは特定階に入っているテナントの営業が終了した後、自動的に特定階を不停止階とし、乗りかごを通過させる運行方法がとられている。
【０００３】
このようなシステムのかご不停止解除装置としては、各階床のホールに不停止解除ボタンを設置し、利用者がかご停止を必要とした場合だけ解除ボタンを操作し、解除後の停止階に停止した乗りかごに乗り込んだ後、行先階へのかご呼び操作を行っている。
【０００４】
また、高層マンションなどのエレベータシステムでは、セキュリティ上、居住者以外の侵入者を防ぐために、各階床のホールに暗号入力ボタンを設置し、居住者がテンキーである暗号入力ボタンを操作したとき、その暗号入力ボタンから発せられる暗号の一致を確認した後、その階に乗りかごを停止させて居住者を乗せる方法をとっている（特許文献１）
【特許文献１】特開平４−３１３５７３号公報（図１参照）
【発明の開示】
【発明が解決しようとする課題】
【０００５】
しかし、以上のようなかご不停止解除システムは、何れも各階床のホールに設置していることから、不正目的のためにかご不停止解除装置の操作を知ろうとした場合、先に操作している者の操作状況を見ることにより、容易に操作方法を知ることができ、後日乗りかごを停止させて必要な階への移動を許してしまう恐れがある。
【０００６】
また、高層マンションにおいては、居住している居住者の年齢層の幅が広く、何れの年齢の居住者でも操作可能とする場合にはホールの見やすい場所に簡単な操作のかご不停止解除装置を設置する必要があり、そのために他人に容易に操作方法を知られてしまう問題を含んでいる。
【０００７】
本発明は上記事情に鑑みてなされたもので、不停止階の解除操作者を遠隔的に認識し、真正な解除操作者だけを受け付けて不停止階を解除するエレベータの不停止解除システムを提供することを目的とする。
【課題を解決するための手段】
【０００８】
（１）  上記課題を解決するために、本発明は、少なくともエレベータの不停止階のホールに設置され、外部から送信されてくる不停止階を表す複数桁数の階データ、不停止階を表す階データを伴う個人識別データの何れか１つの認識データを受信し、当該認識データから所定の真正な特定人であることを条件に不停止階の解除信号を送信する解除装置と、この解除装置から送信されてくる不停止階の解除信号に基づき、当該停止階を解除して停止階に設定する制御盤とを設けたエレベータのかご不停止解除システムである。
【０００９】
この発明は以上のような構成とすることにより、解除装置が外部から送信されてくる認識データに基づいて真正な特定人であるかを判定し、真正な特定人であることを条件に不停止階の解除信号を制御盤に送信することから、解除装置から解除操作部分を削除することができ、真正な特定人が解除装置に近づいて解除操作を行う必要が無くなり、ひいては不審者に対する操作を不能にすることができる。
【００１０】
なお、前記解除装置としては、認識判定データを設定する識別判定データ設定手段と、外部から送信されてくる暗号化された認識データを受信し、暗号解析処理を実行する暗号解析処理手段と、この暗号解析処理手段で暗号解析された認識データに基づき、識別判定データ設定手段に設定される認識判定データを参照し、当該認識データと等しい認識判定データが存在するとき、不停止階の解除信号を前記制御盤に送信する送信制御手段とを設けた構成である。
【００１１】
この発明の解除装置が以上のような構成とすることにより、暗号解析処理手段が外部から送信されてくる暗号化された認識データを暗号解析し、この暗号解析された認識データに基づき、前記識別判定データ設定手段に設定される認識判定データを参照し、当該認識データと等しい認識判定データが存在するとき、不停止階の解除信号を前記制御盤に送信するので、暗号化された認識データを送信する外部端末が盗難または紛失した場合でも、適切な認識データを送信しない限り盗用される心配がなくなり、セキュリティを確保することが可能となる。
【００１２】
また、別の解除装置としては、認識判定データ、特定人の居住階データ及び移動許容階データを設定する識別判定データ設定手段と、前記解除装置に視覚認識可能に設けられた判定表示部と、外部から送信されてくる暗号化された認識データを受信し、暗号解析処理を実行する暗号解析処理手段と、この暗号解析処理手段で暗号解析された認識データに基づき、識別判定データ設定手段に設定する認識判定データを参照し、当該認識データと等しい認識判定データが存在するとき、不停止階が識別判定データ設定手段に設定される当該等しい認識判定データに対応する特定人の居住階データまたは移動許容階データに一致する場合に真正な特定人と判定する特定人認識判定手段と、この特定人認識判定手段による判定結果を前記判定表示部に表示する判定結果表示手段と、前記特定人認識判定手段によって真正な特定人と判定された場合、不停止階の解除信号を前記制御盤に送信する送信制御手段とを設けた構成である。
【００１３】
この発明の解除装置が以上のような構成とすることにより、特定人認識判定手段が暗号解析された認識データに基づき、識別判定データ設定手段に設定される認識判定データを参照し、当該認識データと等しい認識判定データが存在するとき、不停止階が識別判定データ設定手段に設定される当該等しい識別データに対応する特定人の居住階データまたは移動許容階データに一致するか否かに応じて真正な特定人と判定するので、認識データと認識判定データとが一致しても、特定人が居住する階または移動階が不停止階で無い限り、不停止階を解除できないので、高いセキュリティを確保することが可能である。また、特定人認識判定手段による判定結果を判定表示部に表示するので、不停止階が解除可能であることを容易に把握でき、不停止解除の適切なサービスを提供できる。
【００１４】
（２）  また、本発明に係るエレベータのかご不停止解除システムは、前述する（１）の構成に新たに、不停止階を解除するための暗号化された認識データを前記解除装置に送信する携帯型の遠隔解除装置端末を設け、この遠隔解除装置端末としては、認識データを入力する不停止解除用データ入力手段と、前記遠隔解除装置端末に視覚認識可能に設けられた判定表示部と、前記個人認識データを設定する個人認識データ設定手段と、前記不停止解除用データ入力手段から入力された認識データに基づき、前記データ設定手段に設定される個別認識データを参照し、端末操作者が所定の真正な特定人であるか否かを判定する特定人認識判定手段と、この特定人認識判定手段の判定結果を前記判定表示部に表示する判定結果表示手段と、前記特定人認識判定手段によって真正な特定人であると判定された場合、前記認識データを暗号化し、前記解除装置に送信する暗号作成処理手段とを有する構成である。
【００１５】
このような構成とすることにより、遠隔解除装置端末から暗号化された認識データを解除装置に送信するので、不審者が暗号化された認識データを携帯型無線受信機で受信した場合でも理解不能となり、盗用することが難しい。また、特定人認識判定手段の判定結果を前記判定表示部に表示するので、不停止階の解除に係る認識データを正式に受け付けたことを認識でき、操作の正当性を確認することができる。
【発明の効果】
【００１６】
本発明によれば、不停止階の解除操作者を遠隔的に認識し、真正な解除操作者だけを受け付けて不停止階を確実に解除できるエレベータの不停止解除システムを提供できる。
【発明を実施するための最良の形態】
【００１７】
以下、本発明の実施形態について図面を参照して説明する。  
図１は本発明に係るエレベータの不停止解除システムを含むエレベータシステムの概要構成図である。  
同図において、１はエレベータの運行制御を司る制御盤、２は制御盤１から出力される電力を受けて回転駆動する巻上機である。制御盤１は昇降路３上部の機械室または昇降路３の適宜な個所に設置される。巻上機２にはメインロープ４が掛け渡されており、このメインロープ４の一端側には乗りかご５、メインロープ４の他端側には釣合いおもり６が吊り下げられている。
【００１８】
７は昇降路３に隣接する１つの階床のホールであって、当該ホール７のホールドア近傍の壁には制御盤１と接続される不停止解除装置８が設置されている。９は特定のエレベータ利用者（以下、特定人と呼ぶ）１０が携行する携帯型の遠隔解除操作端末である。なお、特定人とは、例えばマンションの場合には居住者、管理人、保守関係者に相当し、オフィスビルの場合には例えばビルに入っているテナントの従業員、取引関係者、保守関係者に相当する。
【００１９】
すなわち、特定人が遠隔解除操作端末９から不停止階を解除するための認識データを送信すると、その認識データを不停止解除装置８で受信し、不停止階の解除信号を制御盤１に伝送する。制御盤１は、解除信号から不停止階のホール呼びを登録するとともに、例えば乗りかご５のかご操作パネル１１などに設定される不停止階を停止階に設定し、ホール呼び登録に基づいて乗りかご５を解除された呼び階に停止させる。゛
１２は制御盤１と乗りかご５下部とを接続するテールコードである。テールコード１２は、制御盤１と乗りかご５との間の信号の受け渡しを行う機能を持っている。
【００２０】
図２は遠隔解除操作端末９の外観構成の一例を示す図である。  
この遠隔解除操作端末９は、外観的には、所定の取り決めに基づく認識データを入力する不停止解除用データ入力手段としての不停止解除用暗証ボタン２１と、操作者によるボタン操作を正式に受け付けた否かを表示する判定表示部２２と、真正な前述した特定人と判定されたときに暗号化された認識データを送信する送信部２３とによって構成されている。なお、認識データとは、不停止階を表す複数桁数（例えば４桁）からなる階データ、不停止階（実際の不停止階）を表す階データを伴う個人識別データをいう。
【００２１】
遠隔解除操作端末９は、具体的には、図３に示すように構成されている。図３は遠隔解除操作端末９の一実施の形態を示す全体構成図である。  
すなわち、遠隔解除操作端末９には、前述した不停止解除用暗証ボタン（不停止解除用データ入力手段）２１、判定表示部２２、送信部２３の他、個別認識データ設定部（データ設定手段）２４、判定処理制御部２５、暗号化規則データを格納する暗号作成ソフト格納部２６が設けられている。  
不停止解除用暗証ボタン２１は、所定の取り決めに基づく暗証番号、例えば不停止階を表す複数桁数からなる階データ、不停止階（実際の不停止階）を表す階データを伴う個人識別データの何れか1つの認識データを入力する機能を持っている。暗号番号の桁数を増やせば、種々の識別機能をもった認識データを入力することが可能である。どのような認識データとするかは、対象となる特定人の年齢層の範囲やセキュリティの要求レベルなどによって任意に決定するものである。
【００２２】
個別認識データ設定部２４は、前述した認識データから特定人を認識可能な個別認識データを格納している。すなわち、個別認識データは、所定の取り決めに基づく暗証番号に相当するデータであって、例えば不停止階を表す複数桁数からなる階データが挙げられる。
【００２３】
判定処理制御部２５は、ＣＰＵで構成され、機能的には、不停止解除用暗証ボタン２１から入力される認識データと個別認識データ設定部２４に記憶される個人認識データとから真正な特定人を判定する特定人認識判定手段２５ａと、この特定人認識判定手段２５ａによる判定結果を判定表示部２２に表示する判定結果表示手段２５ｂと、特定人認識判定手段２５ａの判定結果から真正な特定人の操作であると判断された場合、暗号作成ソフト格納部２６に格納される暗合化規則データを用いて、不停止解除用暗証ボタン２１から入力された認識データを意味を持たない暗号化された認識データに変換し送信部２３から送信する暗号作成処理手段２５ｃとを有する。
【００２４】
図４は不停止解除装置８の外観構成の一例を示す図である。  
不停止解除装置８は、外観的には、遠隔解除操作端末９から送信されてくる暗号化された認識データを受信する受信部３１と、当該受信部３１で受信された暗号化された認識データを解析し、真正な特定人であるか否かを判定表示する判定表示部３２とによって構成されている。
【００２５】
不停止解除装置８は、具体的には、図５に示すように構成される。図５は不停止解除装置８の一実施の形態を示す全体構成図である。すなわち、不停止解除装置８は、前述した受信部３１、判定表示部３２の他、暗合解析規則データを格納する暗号解析ソフト格納部３３と、認識判定データ設定部３４と、判定処理制御部３５と、送信部３６とを有する。
【００２６】
認識判定データ設定部３４には、例えば高層マンション等に適用する場合には、各居住者、認識判定データ（例えば複数桁数からなる階データ、個人識別データ等）、居住階データ、移動許容階データなどが記憶されている。なお、認識判定データ設定部３４の認識判定データは所定の取り決めに基づく暗証番号に依存することから、暗証番号が変われば、認識判定データも変わる。
【００２７】
判定処理制御部３５は、ＣＰＵで構成され、機能的には、遠隔解除操作端末９から送信されてくる暗号化された認識データを、暗号解析ソフト格納部３３の暗号解析規則データを用いて暗号解析処理を行う暗号解析処理手段３５ａと、この暗号解析処理手段３５ａで復号化された認識データに基づいて認識判定データ設定部３４を参照し、真正な特定人，例えば建物の居住者、関係者等の特定人であるか否かを判定し、さらにセキュリティを向上させる場合には不停止階が特定人の居住階または移動居住階の何れかに該当するか否かを追加的に判定する特定人認識判定手段３５ｂと、この特定人認識判定手段３５ｂによる判定結果を判定表示部３２に表示する判定結果表示手段３５ｃと、特定人認識判定処理手段３５ｂから特定人であると判定された場合、不停止階に係る解除信号を制御盤１に送信させる送信制御手段３５ｄとを有する。
【００２８】
次に、以上のような装置の動作について図６及び図７を参照して説明する。
【００２９】
例えば高層マンションに居住する居住者の居住階が不停止階に設定されている場合、当該居住者である特定人は外出の際に遠隔解除操作端末９を持って居住階のエレベータホール７に向かう。そして、特定人は、居住階のエレベータホール７前で例えば遠隔解除操作端末９を解除装置８に向けるなどして暗証ボタン２１から所定の取り決めに基づく例えば暗証番号である認識データを操作入力する。
【００３０】
ここで、遠隔解除操作端末９の判定処理制御部２５は図６に示す一連の処理を実行する。すなわち、判定処理制御部２５の特定人認識判定手段２５ａは、暗証ボタン２１から認識データ（例えば階番号を伴う個人識別データ）が入力されたか否かを判断し（Ｓ１）、認識データが入力されたと判断されたとき、当該認識データに基づいて個別認識データ設定部２４に設定される個別認識データを順次比較参照していき（Ｓ２）、真正な特定人であるか否かを判定する（Ｓ３）。ここで、特定人認識判定手段２５ａは、個別認識データ設定部２４の中に認識データと一致する個別認識データが有る場合には真正な特定人の操作であると判定し、また等しい個別認識データが無い場合には真正な特定人による操作で無いと判定する。
【００３１】
ステップＳ３において、特定人認識判定手段２５ａから判定結果が出た場合、判定結果表示手段２５ｂは、判定表示部２２に判定結果を表示する。真正な特定人であると判定された場合、判定表示部２２の例えば青色表示灯を点灯し（Ｓ４）、真正な特定人で無い場合にはエラー表示として判定表示部２２の例えば赤色表示灯を点灯する（Ｓ５）。なお、判定結果表示手段２５ｂは、判定表示部２２に真正な特定人であること、真正な特定人でないことをメッセージにより表示してもよい。また、エラー表示に代えてブザーを鳴動する構成であってもよい。
【００３２】
真正な特定人であることを表示した場合、引き続き、判定処理制御部２５の暗号作成処理手段手段２５ｃを実行する。この暗号作成処理手段手段２５ｃは、暗号作成ソフト格納部２６に格納される暗合化規則データ，例えば暗号化アルゴリズムと鍵とを用いて、暗号ボタン２１から入力された認識データを暗号化し（Ｓ５）、送信部２３から解除装置８に向けて不停止階に係る階番号を伴う個人識別データである暗号化された認識データを送信する（Ｓ６）。なお、認識データとしては、複数桁数からなる不停止階データまたは個人識別データだけでもよい。
【００３３】
一方、解除装置８の判定処理制御部３５は、図７に示す一連の処理を実行している。すなわち、判定処理制御部３５の暗号解析処理手段３５ａは、所定の周期ごとに遠隔解除操作端末９から暗号化された認識データを受信したか否かを判断する（Ｓ１１）。ここで、認識データを受信したと判断した場合、暗号解析ソフト格納部３３から暗合解析規則データである例えば暗号解析アルゴリズム及び暗号作成時に使用した鍵を用いて、認識データを復号化する（Ｓ１２）。
【００３４】
しかる後、判定処理制御部３５の特定人認識判定手段３５ｂを実行する。特定人認識判定手段３５ｂは、暗号解析によって得られる認識データに基づき、認識判定データ設定部３４に格納される認識判定データを順次比較参照し（Ｓ１３）、認識データと一致する認識判定データが存在するか否かを判定し（Ｓ１４）、一致する認識判定データが存在する場合には真正な特定人であると判定し、一致する認識判定データが存在しない場合には判定表示部３２にエラー表示する（Ｓ１５）。
【００３５】
なお、認識データが不停止階を表す複数桁数からなる階データの場合、認識判定データ設定部３４に設定される階データと比較し、真正な特定人の操作であるか否かを判定する。また、認識データが不停止階を表す階データを伴う個人識別データの場合、認識判定データ設定部３４に設定される識別データと比較し、真正な特定人であるか否かを判定する。さらに、認識データが個人識別データだけの場合には認識判定データ設定部３４に設定される識別データと比較し、真正な特定人であるか否かを判定する。
【００３６】
特定人認識判定手段３５ｂは、ステップＳ１４で真正な特定人が存在すると判定した場合、引き続き、該当する特定人が不停止階を表す階データまたは端末９側から不停止階を表すデータを含む認識データ（個人識別データだけの場合）が識別判定データ設定部３４に設定される一致した認識判定データに対応する居住階データまたは移動居住階データと一致するか否かを判定する（Ｓ１６，Ｓ１７）。
【００３７】
ステップＳ１６，Ｓ１７において、特定人認識判定手段３５ｂから判定結果が出た場合、判定結果表示手段３５ｃは、判定表示部３２に判定結果を表示する。すなわち、特定人認識判定手段３５ｂが、真正な特定人であると判定し、かつ当該特定人等から入力される不停止階を表すデータが居住階または移動居住階に属する場合、判定表示部３２の例えば青色表示灯を点灯し、真正な特定人であることを表示する（Ｓ１８）。また、判定結果表示手段３５ｃは、真正な特定人であると判定したものの、当該特定人から入力された不停止階を表す階番号が居住階または移動居住階に属しない場合、判定表示部２２の例えば赤色表示灯を点灯し、決められていない階から操作している特定人であることを示すエラー状態を表示する（Ｓ１５）。なお、前述したようにメッセージを表示してもよく、或いはブザーを鳴動する構成であってもよい。
【００３８】
ここで、居住者か移動居住者かの判定機能を省略し、個人識別番号と識別番号とを比較し、最終的に真正な居住者か否かを判定する構成であってもよい。
【００３９】
また、特定人認識判定手段３５ｂが最終的に真正な特定人と判定した場合、判定処理制御部３５の送信制御手段３５ｄを実行する。送信制御手段３５ｄは、不停止階を表すデータを伴う解除信号を送信部３６を介して制御盤１に送信する（Ｓ１９）。
【００４０】
制御盤１は、解除装置８から不停止階を表すデータを伴う解除信号を受信すると、当該データに相当する階床のホール呼びを登録すると共に、階番号を伴う解除信号をかご操作パネル１１に送信する。ここで、かご操作パネル１１は、制御盤１からの信号に基づいて、該当不停止階を解除して停止階に設定し、制御盤１からのホール呼び登録の指示に従って解除された停止階に向かって走行する。
【００４１】
従って、以上のような実施の形態によれば、特定人は不停止階を解除する場合、遠隔解除操作端末９から所定の取り決めに基づく認識データを入力し、暗号化した状態で少なくとも不停止階のホール７に設置される解除装置８に送信するので、遠隔解除操作端末９が盗難または紛失した場合でも、適切な認識データを送信しない限り盗用される心配がなくなり、セキュリティを確保することが可能となる。不審者が暗号化された認識データを携帯型無線受信機で受信した場合でも、認識データを解読することが不可能であり、盗用することが難しい。また、真正な特定人にとっては、特定人認識判定手段の判定結果を判定表示部２２に表示するので、適切な操作のもとに認識データを入力すれば、真正な特定人の操作であることを判定し表示するので、不停止階の解除に係る認識データを正式に受け付けたことを認識でき、操作の正当性を確認することができる。
【００４２】
また、解除装置８としては、遠隔解除操作端末９から送信される暗号化された認識データを暗号解析し、元の識別データに戻した後、認識データから特定人であるか否か、また不停止階データを取り出し、真正な特定人であれば、不停止階の解除信号を制御盤１に送信するので、適切な操作のもとに一定の取り決めの認識データを入力する限り、外部に漏れることなく制御盤１に確実に不停止階の解除信号を送信することができる。しかも、解除装置８に判定表示部３２を取り付ければ、不停止階が解除可能であることを容易に把握でき、真正な特定人に対して不停止解除の適切なサービスを提供することができる。
【００４３】
さらに、以上のような真正な特定人の判定に加え、不停止階が真正な特定人の居住階または移動許容階の何れに属するか否かを判定し、何れにも属していない場合には不停止階の解除を禁止するので、高いセキュリティを確保できる。
【００４４】
（その他の実施の形態）
（１）  上記実施の形態では、解除装置８に判定表示部３２を設け、特定人認識判定手段３５ｂが特定人と判定されたか否かに応じ、判定結果表示手段３５ｃが判定結果を表示したが、例えば判定表示部３２を削除し、特定人認識判定手段３５ｂが特定人と判定された場合に限り、階番号を伴う解除信号を制御盤１に送信する構成であってもよい。
【００４５】
（２）  上記実施の形態では、かご操作パネル１１が制御盤１から階番号を伴う解除信号を受けて不停止階を解除して停止階としたが、例えば制御盤１が階番号を伴う解除信号を受けたとき、不停止階を解除して停止階とする処理を行ってもよい。
【００４６】
（３）  さらに、上記実施の形態では、特定人が遠隔解除操作端末９から暗号化された階番号を伴う解除信号を解除装置８に送信し、当該解除装置８は、暗号化された階番号を伴う解除信号を暗号解析し、当該暗号解析された解除信号から真正な特定人であると判定した場合に制御盤１を介して不停止階を解除して停止階とする。そして、特定人は、乗りかご５が当該停止階に停止して乗り込んだ後にかご操作パネル１１の行先階ボタンによるかご呼び登録を行う構成となっている。
【００４７】
これに対し、例えば下記の条件を満たしたとき、遠隔解除操作端末９を操作した特定人が不停止階の解除操作と同時にかご呼び登録を行うことも可能である。  
条件１：不停止階が少なくとも１ヶ所であり、かつ解除装置８の識別判定データ設定部３４に予め行先階データが設定されていること。
【００４８】
条件２：解除装置８から階番号及び行先階データを伴う解除信号を制御盤１で受けたとき、乗りかご５内に利用客が乗っていないこと。なお、制御盤１は、乗りかご５の底部に設置される荷重センサから乗りかご５内に利用客が乗っているか否かを把握できる。また、乗りかご５が乗っている場合、かご操作パネル１１の行先階ボタンを操作することなく、特定人のために自動的に行先階に停止した場合、既に乗っている乗客が不快感を感じたり、突然の停止で不安定となるためである。
【００４９】
その他、本発明は、上記実施の形態に限定されるものでなく、その要旨を逸脱しない範囲で種々変形して実施できる。
【図面の簡単な説明】
【００５０】
【図１】本発明に係るエレベータのかご不停止解除システムの一実施の形態を適用したエレベータシステムの概略的な全体構成図。
【図２】図１に示す遠隔解除操作端末の外観上に現れる構成要素の配置構成図。
【図３】図１の遠隔解除装置端末の一実施の形態を示す全体構成図。
【図４】図１に示す解除装置の外観上に現れる構成要素の配置構成図。
【図５】図１の解除装置の一実施の形態を示す全体構成図。
【図６】遠隔解除装置端末の動作を説明するフローチャート。
【図７】解除装置の動作を説明するフローチャート。
【符号の説明】
【００５１】
１…制御盤、２…巻上機、３…昇降路、５…乗りかご、７…ホール、８…解除装置、９…遠隔解除操作端末、１１…かご操作パネル、２１…不停止解除用暗証ボタン、２２…判定表示部、２３…送信部、２４…個別認識データ設定部、２５…判定処理制御部、２５ａ…特定人認識判定手段、２５ｂ…判定結果表示手段、２５ｃ…暗号作成処理手段、２６…暗号作成ソフト格納部、３１…受信部、３２…判定表示部、３３…暗号解析ソフト格納部、３４…識別判定データ設定部、３５…判定処理制御部、３５ａ…暗号解析処理手段、３５ｂ…特定人認識判定手段、３５ｃ…判定結果表示手段、３５ｄ…送信制御手段、３６…送信部。
【図１】
2006256850.tif 000003
【図２】
2006256850.tif 000004
【図３】
2006256850.tif 000005
【図４】
2006256850.tif 000006
【図５】
2006256850.tif 000007
【図６】
2006256850.tif 000008
【図７】
2006256850.tif 000009